(57)【要約】【課題】電気コネクタに接続されるハーネスを折り返して配置する場合に、電気コネクタの剛性を高くすることにより、電気コネクタの破損を防ぐこと。【解決手段】電気コネクタの保護構造は、電気コネクタと、電気コネクタに接続されると共に電気コネクタから折り返して延設されるハーネスと、電気コネクタから折り返されるハーネスと電気コネクタとの周囲に貼り付けられて密着する保護部材と、を有する。【選択図】図２
2020161217.tif 000002
【特許請求の範囲】
【請求項１】
電気コネクタと、
前記電気コネクタに接続されると共に前記電気コネクタから折り返して延設されるハーネスと、
前記電気コネクタから折り返される前記ハーネスと前記電気コネクタとの周囲に貼り付けられて密着する保護部材と、
を有する電気コネクタの保護構造。
【請求項２】
前記保護部材は、
前記電気コネクタ及び前記ハーネスの外表面形状に沿って貼り付けられる、
請求項１に記載の電気コネクタの保護構造。
【請求項３】
前記保護部材は、
前記電気コネクタ及び前記ハーネスの外表面形状に沿った形状である、
請求項１または２に記載の電気コネクタの保護構造。
【発明の詳細な説明】
【技術分野】
【０００１】
本発明は、電気コネクタの保護構造に関する。
【背景技術】
【０００２】
従来、車両に搭載される電装品等に接続される電気コネクタは、互いにハーネスによって接続されている（例えば、特許文献１）。このようなハーネスは、車両の限られたスペースに配置される電装品等を接続するため、電気コネクタから折り返して配置される。この際に、ハーネスは、折り返された部分が自身の弾性復帰力によって電気コネクタから離れる方向に移動しようとする。
【０００３】
これに対して、従来、ハーネスの折り返された部分をテープで巻き付けて固定することにより、ハーネスの折り返された部分の電気コネクタから離れる方向への移動を防いでいる。
【先行技術文献】
【特許文献】
【０００４】
【特許文献１】特開平９−０３０３４１号公報
【発明の概要】
【発明が解決しようとする課題】
【０００５】
しかしながら、従来においては、車両の組み立て時又は点検時等において、作業者が電気コネクタの近辺で作業を行うことがあり、この際に作業者がハーネスに接触し、ハーネスが電気コネクタを押し、電気コネクタの一部を破損してしまうという課題を有する。
【０００６】
本発明の目的は、電気コネクタに接続されるハーネスを折り返して配置する場合に、電気コネクタとハーネスの接続構造の剛性を高くすることにより、電気コネクタの破損を防ぐことができる電気コネクタの保護構造を提供することである。
【課題を解決するための手段】
【０００７】
本発明に係る電気コネクタの保護構造は、電気コネクタと、前記電気コネクタに接続されると共に前記電気コネクタから折り返して延設されるハーネスと、前記電気コネクタから折り返される前記ハーネスと前記電気コネクタとの周囲に貼り付けられて密着する保護部材と、を有する。
【発明の効果】
【０００８】
本発明によれば、電気コネクタに接続されるハーネスを折り返して配置する場合に、電気コネクタとハーネスの接続構造の剛性を高くすることにより、電気コネクタの破損を防ぐことができる。
【図面の簡単な説明】
【０００９】
【図１】本発明の実施の形態に係る電気コネクタの保護構造における保護部材を取り除いた状態の電気コネクタを示す図
【図２】本発明の実施の形態に係る電気コネクタの保護構造を示す図
【発明を実施するための形態】
【００１０】
以下、図面を適宜参照して、本発明の実施の形態につき、詳細に説明する。
【００１１】
＜電気コネクタの保護構造の構成＞
本発明の実施の形態に係る電気コネクタの保護構造の構成につき、図１から図２を参照しながら、以下に詳細に説明する。
【００１２】
本実施の形態に係る電気コネクタの保護構造１は、ハーネス１０と、電気コネクタ２０と、保護部材３０と、を有している。
【００１３】
ハーネス１０は、一端が電気コネクタ２０に接続されていると共に、他端が図示しない他の電気コネクタに接続されている。ハーネス１０は、電気コネクタ２０との接続部から折り返され、折り返し方向に延設されている。ハーネス１０は、電気コネクタ２０の外側面に沿って延設されている。
【００１４】
電気コネクタ２０は、車両の電装品等に接続され、ハーネス１０と接続する後方接続部２１と、相手側コネクタに接続する嵌合部を有する前方接続部２２と、を備えている。
【００１５】
保護部材３０は、電気コネクタ２０から折り返されるハーネス１０と電気コネクタ２０との外部の周囲に貼り付けられて、電気コネクタ２０及びハーネス１０に隙間が無いように密着し、かつ、電気コネクタ２０とハーネス１０とを固定している。保護部材３０は、展開した際に、電気コネクタ２０及びハーネス１０の外表面形状に沿った形状を有している。よって、電気コネクタ２０及びハーネス１０の外表面形状に沿って貼り付けられて、電気コネクタ２０及びハーネス１０に隙間なく密着することができる。保護部材３０は、電気コネクタ２０の後方接続部２１の前後方向の全体に密着すると共に、電気コネクタ２０の前方接続部２２の前端側を除いた部分に密着している。保護部材３０は、電気コネクタ２０とハーネス１０との接続構造により高い剛性を持たせるべく、例えば、伸びにくい布製であることが好ましい。伸びにくさの程度としては、ビニールよりも伸びにくいことが一つの指標となる。
【００１６】
＜電気コネクタの保護方法＞
本発明の実施の形態に係る電気コネクタの保護方法につき、図１及び図２を参照しながら、以下に詳細に説明する。
【００１７】
電気コネクタの保護構造１が設けられる車両の組み立て時又は点検時等において、作業者は、電気コネクタ２０の近くの作業スペースで作業を行う際に、ハーネス１０に接触して図１に示す矢印Ａ方向にストレスを加えた場合であっても、電気コネクタ２０は、保護部材３０で覆われていると共に、ハーネス１０と電気コネクタ２０とに密着して貼り付けられる保護部材３０によって高い剛性を得ることができるため、従来破損し易かった部分、例えばＨで示される部分の破損を防ぐことができる。
【００１８】
また、ハーネス１０は、保護部材３０によって電気コネクタ２０と一体に覆われている。よって、折り曲げた部分がハーネス１０自身の弾性復帰力で元に戻ることを防ぐことができる。
【００１９】
このように、本実施の形態によれば、電気コネクタ２０から折り返されるハーネス１０と電気コネクタ２０との周囲に貼り付けられて密着する保護部材３０を設けることにより、電気コネクタ２０に接続されるハーネス１０を折り返して配置する場合に、電気コネクタ２０の剛性を高くすることにより、電気コネクタ２０の破損を防ぐことができる。
【００２０】
また、本実施の形態によれば、保護部材３０を電気コネクタ２０及びハーネス１０の外表面形状に沿って貼り付けることにより、電気コネクタ２０の剛性を更に高くすることができる。
【００２１】
また、伸びにくい布製の部材によって保護部材３０を形成することにより、保護部材３０を電気コネクタ２０及びハーネス１０により密着させ、且つ、より剛性を得ることができる。
【００２２】
なお、本発明は、部材の種類、配置、個数等は前述の実施の形態に限定されるものではなく、その構成要素を同等の作用効果を奏するものに適宜置換する等、発明の要旨を逸脱しない範囲で適宜変更可能であることはもちろんである。
【産業上の利用可能性】
【００２３】
本発明は、電気コネクタの保護構造に好適である。
【符号の説明】
【００２４】
１  電気コネクタの保護構造
１０  ハーネス
２０  電気コネクタ
２１  後方接続部
２２  前方接続部
３０  保護部材 
【図１】
2020161217.tif 000003
【図２】
2020161217.tif 000004